(57)【要約】本発明は、マッチングラインに沿ってマッチング位置まで画像管を担持し、また電圧源に接続する製品キャリヤと、画像管のマッチングを行なうようマッチング位置に配置したマッチング手段とを具えた画像管マッチング装置に関する。この装置は、更に、画像管のベースコネクタに取り付けて電気的接続しうる接続ソケットを有する。接続ソケットは、カソード予加熱フィラメントを前記電圧源にキャリヤを介して接続するための第１端子と、前記マッチング手段を直接ソケットに個別かつ同時に接続するための複数個の端子を有する。本発明によれば、ベースコネクタとキャリヤとの間に長い配線を不要とし、キャリヤを簡素化する。
2004516701.tif 000002
【特許請求の範囲】
【請求項１】
複数個の電気的端子を有し、このうちの１個の端子を画像管内のカソードを予加熱するための手段に接続するベースコネクタを有する画像管のマッチングをとるためのマッチング装置であって、
前記マッチングラインに沿ってマッチング位置に前記画像管を担持し、また電圧源に接続した製品キャリヤと、
前記画像管のマッチングを行なうマッチング位置に配置したマッチング手段とを具えるマッチング装置において、
前記画像管のベースコネクタに取り付けるとともに電気的接続しうる接続ソケットを具え、この接続ソケットには、前記キャリヤを介して前記予加熱手段を前記電圧源に接続する第１端子と、前記マッチング手段とは個別にまた同時に前記ソケットに直接接続しうる複数個の第２端子を設けたことを特徴とするマッチング装置。
【請求項２】
加熱電圧を切り離すことなく、前記マッチング手段を前記接続ソケットに直接掛合可能にした請求項１記載の装置。
【請求項３】
中間配線なしに、前記マッチング手段を前記接続ソケットに接続可能にした請求項１又は２記載の装置。
【請求項４】
前記マッチング手段には、画像管に取り付けた接続ソケットに掛合するよう横方向に移動自在の接続部分を設けた請求項３記載の装置。
【請求項５】
前記接続ソケットに予加熱手段のための電圧を供給するワイヤによって前記接続ソケットをキャリヤに接続した請求項１乃至４のうちのいずれか一項に記載の装置。
【請求項６】
画像管のベースコネクタに取り付けるとともに電気的接続しうる接続ソケットにおいて、この接続ソケットには、第１電圧に接続するための第１端子と、複数個の第２電圧に同時に接続するための複数個の第２端子を設けたことを特徴とする接続ソケット。
【請求項７】
前記第２端子を互いに平行な接続素子により構成した請求項６記載の接続ソケット。
【請求項８】
ほぼ円筒形の形状にした請求項６又は７記載の接続ソケット。
【請求項９】
前記複数個の第２端子を、ベースコネクタに接続するためのコネクタに接続可能にした請求項６乃至８のうちのいずれか一項に記載の接続ソケット。
【発明の詳細な説明】
【０００１】
【発明の属する技術分野】
本発明は、複数個の電気的端子を有し、このうちの１個の端子を画像管内のカソードを予加熱するための手段に接続するベースコネクタを有する画像管のマッチングをとるためのマッチング装置であって、前記マッチングラインに沿ってマッチング位置に前記画像管を担持し、また電圧源に接続した製品キャリヤと、前記画像管のマッチングを行なうマッチング位置に配置したマッチング手段とを具えるマッチング装置に関するものである。
【０００２】
更に、本発明は、画像管のベースコネクタに取り付けるとともに電気的接続しうる接続ソケットに関するものである。
【０００３】
画像管（ＣＲＴ）のためのマッチングプロセスにおいて、画像管は３０分間予加熱してから偏向ユニットの調整を行なう。予加熱中、画像管内のフィラメントは加熱電圧に接続し、またマッチング中は数個の制御電圧に接続する。
【０００４】
画像管が製造ラインにおいて適合している場合、画像管を移送するため製品キャリヤを使用して各キャリヤを予加熱電圧源に移送ラインを介して接続する。画像管はキャリヤ上の接続装置に数個のワイヤによって電気的に接続し、これらワイヤのうちの１個はラインにおける移送中に画像管を予加熱する。作業位置でキャリヤが停止したとき、測定機器を接続装置に自動的に接続する。測定機器を側方から接続するこの種の装置は英国特許第２，３２６，９７３号に記載されている。接続を行なう他の方法では、キャリヤの下側に接続装置を設け、測定機器の端子ユニットを下側から接続する。
【０００５】
このタイプの接続構成の問題点は、画像管とキャリヤ上の接続装置との間に比較的長い（数十ｃｍ）ワイヤを必要とする点である。この長いワイヤ配線はマッチングプロセスに高い周波数を使用するとき高い品質の信号を得ることが困難になり、６０ｋＨｚ以上の周波数では、画像品質の低下は大きな問題である。
【０００６】
他の欠点としては、画像管に制御ワイヤを接続するのが製品キャリヤ毎に行なわなければならず、通常製造プラントでは１００以上もの製品キャリヤがある点である。
【０００７】
画像管におけるコネクタは、数個の互いに平行な接続ピンを有し、既知のコネクタをこれらすべてのピンに対して同時に接続する構成としている。従って、測定機器の端子ユニットをマッチング位置で画像管に直接接続するためには、予加熱電圧のための接続を取り外して端子ユニットを接続しなければならない。
【０００８】
従って、本発明の目的は、これらの問題を克服し、過剰な長さのワイヤを不要とするＣＲＴマッチング装置を得るにある。
【０００９】
更に、本発明の目的は、マッチング中に加熱電圧を画像管に接続する改良した装置を得るにある。
【００１０】
この目的を達成するため、本発明は、画像管のベースコネクタに取り付けるとともに電気的接続しうる接続ソケットにおいて、この接続ソケットには、第１電圧に接続するための第１端子と、複数個の第２電圧に同時に接続するための複数個の第２端子を設けたことを特徴とする。
【００１１】
ベースコネクタとマッチング手段との間の中間の接続ソケットは、加熱電圧を画像管のフィラメントに接続するとともに、制御電圧の直接接続も行なうことができる。本明細書中用語「直接」は、中間ワイヤが不要であることを意味するものと理解されたい。このようにして、長いワイヤを必要とすることなく、マッチング手段を直接画像管に接続することができる。
【００１２】
上述したように、従来技術によれば制御電圧の接続は２段階で行なっていた。即ち、先ず、多重ワイヤ接続をベースコネクタとキャリヤとの間に設け、これにより、加熱電圧の接続を可能にする。次に、キャリヤ上の接続装置をマッチング手段に直接接続する。
【００１３】
本発明による接続ソケットは単に１回の接続（加熱電圧用）のみが必要であるため、画像管と製品キャリヤとの間の接続が簡素化される。すべての制御電圧に対するワイヤを設けることなく、単に１個のワイヤを設け、このワイヤのみを低電圧（加熱電圧は典型的には１０Ｖ以下）に接続する。このことは、製品キャリヤ（通常の製造プラントでは約１００個）の保守が容易になることを意味する。１個の画像管のベースコネクタがマッチング位置をとることのみ必要であり、同時にすべての製品キャリヤ毎の接続は不要となる。
【００１４】
複数個の第２端子は、普通の画像管のベースコネクタに存在するものと同一の互いに平行な接続素子により構成することができる。好適には、複数個の第２端子は、画像管のベースコネクタに接続することを意図したコネクタに接続可能にする。このことにより、ほとんど調整がいらない既存の設備における接続ソケットを使用することができる。
【００１５】
本発明の第２の発明は、このような接続ソケットを有する画像管マッチング装置に関する。好適には、マッチング手段は加熱電圧を切り離すことなく上記接続ソケットに直接掛脱できるものとする。この結果、マッチング手段の接続手順が簡単になる。
【００１６】
好適な実施例においては、マッチング手段にコネクタ部分を設け、このコネクタ部分を画像管に取り付けた接続ソケットに掛合するよう横方向に移動自在にする。このことによりマッチング位置における操作が容易になる。
【００１７】
接続ソケットは、接続ソケットに予加熱手段の電圧を供給するワイヤによってキャリヤに接続することができる。
【００１８】
次に、本発明の好適な、しかしこれに限定されない実施例を添付図面につき説明する。
【００１９】
図１に示すＣＲＴ１は製品キャリヤ又はパレット２上に配置する。このＣＲＴ１は、ＣＲＴ１を衝撃から保護しかつ安定化させるフレーム３によって包囲し、しかし、まだ保護ケーシングは設けない。パレット２は、移送ライン４に沿って移送するよう構成し、ＣＲＴ１のマッチングを行なうマッチング手段３０を配置したマッチング位置５を含む異なる制御位置を通過する。パレット２はブラシ８等を使用して電圧源７に接続し、パレット２がライン４に沿って移送されるときパレット２に確実に電圧を供給するようにする。
【００２０】
ＣＲＴ１は、截頭錐状部１１を有する前方部分と、円筒形ネック部１２の形式の後方部分とを有する画像ディスプレイ管１０により構成する。ネック部の後部には、数個の、通常は３個の（赤、青、緑）用の電子銃（図示せず）を収容し、図示しない配線ワイヤを伴う。この配線ワイヤは、グリッド及びフォーカス電圧（Ｖｇ１，Ｖｇ２，Ｖｇ３ａ，Ｖｇ３ｂ）、並びにカソード電圧（Ｋｇ，Ｋｂ，Ｋｒ）のためのラインを含んでいる。ネック部には、更に、カソードを加熱するための加熱フィラメント１４及びこのフィラメント１４を加熱電圧（Ｖｆ）に接続するためのワイヤも収容する。
【００２１】
ワイヤは、ネック部１２の端部におけるベースコネクタ１５に達し、このコネクタで各ワイヤはピン１６の形式の端子に接続する。すべての端子ピン１６は順次平行に配列し、ほぼ円形のパターンをなすようにする。フォーカス電圧（典型的には６ｋＶ）に接続するピンは、通常保護端縁によって包囲する。この構成によれば、ベースコネクタ１５のいかなる接続も、ピン１５の延在方向に平行な方向Ａに平行移動せざるを得なくなる。
【００２２】
図１にほぼ円筒形の形状の接続ソケット２０を示す。ソケット２０をベースコネクタ１５に接続し、またこのソケット２０はパレット２から加熱電圧（Ｖｆ）を永久的に接続できるとともに、その後にマッチング手段３０に直接接続できる中間接続部をなす。ベースコネクタ１５が多数の端子ピン１６を有する図示の実施例では、中間ソケット２０は、一方の側面において、これら端子ピン１６のうちの数個、好適にはすべてに電気的に接触する第１のコネクタセット（図１では見えない）を、他方の側面において、ベースコネクタにおける少なくとも若干のピン１６に対応する端子ピン２３の補助セットを設ける。しかし、フィラメント１４の端子ピン１６ａ，１６ｂは補助端子ピンには接続せず、その代わり個別端子２５に接続し、この分離端子２５をワイヤ２６によってパレット２に接続し、フィラメント１４をパレット２で入手できる加熱電圧（Ｖｆ）に個別に接続する。加熱電圧に接続するこのワイヤは、画像管のベースコネクタ１５とパレット２との間の接続のみを行なう。
【００２３】
図１に示すソケット２０において、第２側面側即ち、マッチング手段に対向する側の端子ピン２３の数は、画像管のベースコネクタよりも２，３個少ない数の端子ピンを設け、フィラメントを接続するのに使用する２個の端子１６ａ，１６ｂは、個別に接続されるのでもはや不要である。しかし、ソケットのこの第２側面側における端子の数は、例えば、他の試験を行なうべき場合でも少なくするか、又はソケットにより画像管におけるベースコネクタと正確に同一数の接続を行なうことができるようにする場合には多くする。
【００２４】
図１の中間ソケット２０の右側がマッチング手段３０であり、このマッチング手段３０は移送ライン４に沿う整合位置５に配置する。マッチング手段３０は、ベースコネクタ１５の電圧接続部１６に信号を供給して画像管１からの応答を分析するためのそれ自体既知の回路３１を有する。この回路３１はコネクタ３２にワイヤ３３により接続し、コネクタ３２はパレット２に担持した画像管１のベースコネクタ１５に取り付けた中間ソケット２０に向かって移動することができるように構成する。図示の実施例では、マッチング手段３０即ち、回路３１、並びにコネクタ３２及び配線ワイヤ３３をキャリッジ３４に取り付け、このキャリッジ３４をパレット２及びこのパレット２に担持した画像管１に向かって摺動自在にする。図２ａはコネクタ３２が中間ソケット２０から距離をおいた位置をとる第１位置にあるキャリッジを示し、図２ｂはコネクタ３２がソケット２０に掛合した第２位置にあるキャリッジ３４を示す。
【００２５】
コネクタ３２は、中間ソケット２０の端子２３に掛合する多数の接続端子３５を有する。好適には、中間ソケットの端子２３はＣＲＴ１のベースコネクタ１５における端子ピン１６と同一寸法にする。このようにして、マッチング手段３２のコネクタ３１は従来技術で使用されている通常のコネクタとすることができる。キャリッジは、英国特許第２３２６９７３号（参考のため本明細書に挙げた）に示されたのと同様の方法で自動制御することができる。
【００２６】
中間ソケットの重要な特徴は、この中間ソケットが加熱電圧を信号ラインに接続し、同時にマッチング手段の簡単な移動により測定電圧を接続することができるようにした点である。
【００２７】
本発明の基本アイデアは図３から明らかであり、この図３はどのようにマッチングユニット３０を画像管１に接続するかを示しており、この場合、数個のライン（Ｇ１、Ｇ２，Ｇ３ａ，Ｇ３ｂ，Ｋｇ，Ｋｒ，Ｋｂ）を有する。中間ソケット２０は矩形ボックスで示し、ＣＲＴのベースコネクタ１５に対して９個の接続を生じ、整合ユニット３０に対して７個の接続を生ずる。（加熱フィラメント１４の接続のための）２個の残りのリード線はワイヤ２６により個別にソケット２０からパレット２を介して電圧源７に接続する。ＣＲＴ１の２個の電子ビーム偏向コイル３６もパレット２に接続し、この場合、接点ブロック（図示せず）における４個の接点を使用する。
【００２８】
好適な実施例上述の説明とは異なる多くの変更例も、当業者であれば特許請求の範囲から逸脱することなく実施することができるであろう。重要の新規なアイデアは、加熱電圧（Ｖｆ）の個別接続とともに、マッチングユニット３０との直接接続も可能にするベースコネクタ１５とマッチングユニット３０との間の中間結合にあるものと理解されたい。
【図面の簡単な説明】
【図１】本発明の実施例による装置の分解斜視図である。
【図２ａ】図１の装置を切り離した状態の側面図である。
【図２ｂ】図１の装置を接続した状態の側面図である。
【図３】ＣＲＴをどのように測定電圧及び予加熱フィラメントに接続するかをしめした線図的説明図である。
【国際公開パンフレット】
2004516701.tif 000003
2004516701.tif 000004
2004516701.tif 000005
2004516701.tif 000006
2004516701.tif 000007
2004516701.tif 000008
2004516701.tif 000009
2004516701.tif 000010
2004516701.tif 000011
2004516701.tif 000012
2004516701.tif 000013
2004516701.tif 000014
【国際調査報告】
2004516701.tif 000015
2004516701.tif 000016